(57)【要約】【課題】電圧の供給を遮断しても表示パターンが崩れず、明確に任意の情報を表示可能な情報表示装置を提供する。【解決手段】本願の情報表示装置Ｓは、半球毎に異なる色を有する球状粒子５を一対の電極１１、１３、１５で挟んで構成され、前記一方の電極１１側に表示画面１０ａを有する表示部２と、前記表示画面１０ａに表示すべき情報にしたがって前記電極１１、１３、１５に電圧を印加し、前記球状粒子５の向きを切り替えて前記情報を前記表示画面１０ａに表示する情報表示制御回路２７と、を備えている情報表示装置Ｓにおいて、前記情報が前記表示画面１０ａに適正に表示され前記電極１１、１３、１５への電圧の印加が遮断される前に、前記電極１３、１５及び前記情報表示制御回路２７間の接続を遮断する遮断手段２９を備えている。【選択図】図５
2008052217.tif 000002
【特許請求の範囲】
【請求項１】
半球毎に異なる色を有する球状粒子を一対の電極で挟んで構成され、前記一方の電極側に表示画面を有する表示部と、
前記表示画面に表示すべき情報にしたがって前記電極に電圧を印加し、前記球状粒子の向きを切り替えて前記情報を前記表示画面に表示する情報表示制御回路と、
を備えている情報表示装置において、
前記情報が前記表示画面に適正に表示され前記電極への電圧の印加が遮断される前に、前記電極及び前記情報表示制御回路間の接続を遮断する遮断手段を備えていることを特徴とする情報表示装置。
【請求項２】
前記情報表示制御回路は、少なくとも前記情報を前記表示画面に適正に表示させるために必要な適正時間だけ前記電極に電圧を印加し、
前記遮断手段は、前記適正時間の終了直前に前記電極及び前記情報表示制御回路間の接続を遮断することを特徴とする請求項１に記載の情報表示装置。
【請求項３】
前記遮断回路は、フォトモスリレーを含んで構成されていることを特徴とする請求項１、又は２に記載の情報表示装置。
【請求項４】
前記表示すべき情報にしたがって前記電極に電圧が印加される前に、
前記球状粒子の一方の色が前記表示画面に一時的に表示されるように前記電極に印加される電圧を制御し、前記電極に電圧を印加する電圧制御手段を備えていることを特徴とする請求項１乃至３のいずれか一項に記載の情報表示装置。
【請求項５】
半球毎に異なる色を有する球状粒子を一対の電極で挟んで構成され、前記一方の電極側に表示画面を有する表示部と、外部から前記表示画面に表示すべき情報を非接触で受信する通信手段と、非接触で電力を受電する受電手段と、前記受信した情報にしたがって前記電極に電圧を印加し、前記球状粒子の向きを切り替えて前記情報を前記表示画面に表示する情報表示制御回路と、を備えている表示装置と、
前記表示画面に表示すべき情報を非接触で送信する通信手段と、前記表示装置に対して非接触で電力を供給する電力供給手段と、を備えている情報書換え装置と、
を含んで構成される情報表示装置において、
前記情報が前記表示画面に適正に表示され前記電極への電圧の印加が遮断される前に、前記電極及び前記情報表示制御回路間の接続を遮断する遮断手段を備えていることを特徴とする情報表示装置。
【発明の詳細な説明】
【技術分野】
【０００１】
本願は、任意の情報を表示する情報表示装置の技術分野に関する。
【背景技術】
【０００２】
近年、情報機器の発達に伴い、薄型の情報表示装置のニーズが増しており、これらニーズに合わせた情報表示装置の研究開発が行われている。当該情報表示装置の一つとして、一般に電子ペーパと称される情報表示装置が存在する。
【０００３】
当該電子ペーパは、例えば、半球ごとに異なる色を有する微小な球体粒子の回転を利用するツイストボール方式と呼ばれる表示方式によって任意の情報が表示されるようになっている。
【０００４】
当該ツイストボール方式の電子ペーパは、一対の電極の間に半球ごとに異なる色を有する複数の微小な球体粒子を収容するとともに、一対のシートで当該一対の電極を外部から覆うように構成されている。一方の電極側のシートは可視光を透過する材料で形成されており、当該シートは表示画面として機能する。
【０００５】
また、各球体粒子は、各々が配置された位置で回転可能になっており、各電極に電圧を印加して極性を切り替えることにより、それぞれの球体粒子の向きが切り替わるようになっている。
【０００６】
【特許文献１】特開２００４−５４１８４号公報
【発明の開示】
【発明が解決しようとする課題】
【０００７】
上記に示すようにツイストボール方式の電子ペーパは、電圧を印加した状態で、電極の極性を切り替えることによって、各球体粒子の半球ごとに異なる色の向きを切り替えて、視認される色を変化させて、任意の情報を当該色（明暗）によって表示する。
【０００８】
当該電子ペーパは、電圧の供給を遮断しても球状粒子の向きが保持される。しかしながら、電圧の供給を遮断によって、表示パターンが崩れ、ぼやけるという現象が起きるという問題がある。
【０００９】
そこで、このような課題の一例を解消するために、本願は、電圧の供給を遮断しても表示パターンが崩れず、明確に任意の情報を表示可能な情報表示装置を提供することを目的とする。
【課題を解決するための手段】
【００１０】
上述した課題を解決するため、請求項１に記載の情報表示装置（Ｓ）は、半球毎に異なる色を有する球状粒子（５）を一対の電極（１１、１３、１５）で挟んで構成され、前記一方の電極（１１）側に表示画面（１０ａ）を有する表示部（２）と、前記表示画面に表示すべき情報にしたがって前記電極に電圧を印加し、前記球状粒子の向きを切り替えて前記情報を前記表示画面に表示する情報表示制御回路（２７）と、を備えている情報表示装置において、前記情報が前記表示画面に適正に表示され前記電極への電圧の印加が遮断される前に、前記電極及び前記情報表示制御回路間の接続を遮断する遮断手段（２９）を備えていることを特徴とする。
【００１１】
また、請求項２に記載の情報表示装置は、請求項１に記載の情報表示装置において、前記情報表示制御回路は、少なくとも前記情報を前記表示画面に適正に表示させるために必要な適正時間だけ前記電極に電圧を印加し、前記遮断手段は、前記適正時間の終了直前に前記電極及び前記情報表示制御回路間の接続を遮断することを特徴とする。
【００１２】
また、請求項３に記載の情報表示装置は、請求項１、又は２に記載の情報表示装置において、前記遮断回路は、フォトモスリレーを含んで構成されていることを特徴とする。
【００１３】
また、請求項４に記載の情報表示装置は、請求項１乃至３のいずれか一項に記載の情報表示装置において、前記表示すべき情報にしたがって前記電極に電圧が印加される前に、前記球状粒子の一方の色が前記表示画面に一時的に表示されるように前記電極に印加される電圧を制御し、前記電極に電圧を印加する電圧制御手段を備えていることを特徴とする。
【００１４】
また、請求項５に記載の情報表示装置は、半球毎に異なる色を有する球状粒子を一対の電極で挟んで構成され、前記一方の電極側に表示画面を有する表示部と、外部から前記表示画面に表示すべき情報を非接触で受信する通信手段（１８）と、非接触で電力を受電する受電手段（１６ａ、１６）と、前記受信した情報にしたがって前記電極に電圧を印加し、前記球状粒子の向きを切り替えて前記情報を前記表示画面に表示する情報表示制御回路と、を備えている表示装置（１０）と、前記表示画面に表示すべき情報を非接触で送信する通信手段（４３）と、前記表示装置に対して非接触で電力を供給する電力供給手段（４１ａ、４１）と、を備えている情報書換え装置（３０）と、を含んで構成される情報表示装置において、前記情報が前記表示画面に適正に表示され前記電極への電圧の印加が遮断される前に、前記電極及び前記情報表示制御回路間の接続を遮断する遮断手段を備えていることを特徴とする。
【発明の効果】
【００１５】
本発明の情報表示装置によれば、任意の情報が表示画面に適正に表示されるように電極に対して電圧が適正に印加された状態で、電極と表示制御回路との接続が遮断されるので、その後に表示装置が情報書換え装置から取り外されるなどによって電力が遮断されても、動作電圧が低下することによる表示パターンの崩れを防止できる。また、通常のリレーの変わりにフォトモスリレーを適用することによって、遮断時間の遅延により、表示制御回路へ電流が漏洩して表示パターンが崩れることを防止できる。よって、表示画面に表示された情報は明確に表示された状態を保持し続けることが可能となる。
【発明を実施するための最良の形態】
【００１６】
以下、本願を実施するための最良の形態について、図面を用いて説明する。図１は本発明に係る情報表示装置の外観図、図２は本発明に係る情報表示装置の全体構造図、図３は表示装置の概念図、図４は表示装置の外観図、図５は表示装置の回路図、図６は給電・通信ユニット及び受電・通信ユニットの構造図、図７は表示装置が情報書換え装置に装着された際の給電・通信ユニット及び受電・通信ユニットの配置状態を示す断面図である。
【００１７】
図１に示すように、本実施形態の情報表示装置Ｓは、表示画面１０ａを有する薄型の表示装置１０と、前記表示装置１０を位置決めして着脱可能に載置可能な情報書換え装置３０と、を備えている。情報表示装置Ｓは、表示装置１０に対して情報書換え装置３０から非接触で所定の情報を通信可能になっているとともに、電力を供給可能になっている。
【００１８】
情報書換え装置３０は、表示装置１０に表示すべき情報を表示するための情報表示信号を生成し、当該情報表示信号を表示装置１０に送信し、表示装置１０は、当該情報表示信号に基づいて情報を表示画面１０ａに表示（出力）する。また、情報書換え装置３０は、利用者の指示によって、前記情報とは異なる他の情報を表示するための他の情報表示信号を生成し、当該他の情報表示信号を表示装置１０に送信し、当該表示装置１０は、当該他の情報表示信号に基づいて表示画面１０ａに表示されている情報を他の情報に書き換えて表示（出力）する。
【００１９】
表示装置１０は、図２に示すように、任意の情報を表示する表示画面１０ａとして機能する表示部２と、情報書換え装置３０から非接触で表示装置１０を駆動するために必要な電力を受電するとともに表示部２に表示すべき情報を受信する受電・通信ユニット３と、受信した情報を表示部２に表示するための制御を行う表示制御部４と、を具備している。
【００２０】
当該表示部２は、図３に示すように、半球毎に異なる色（例えば、黒色と白色）を有する微小な球体粒子５と、その球体粒子５の上部に配置されるガラス基板７と、下部に配置されるガラエポ基板８と、を含んで構成される。球体粒子５は、図示しないが、シリコーンオイル中に分散して収容され、上下一対のフィルムで密封されてシート状に形成されている。
【００２１】
ガラス基板７には、下面全体にわたって、コモン電極１１として機能するインジウム酸化物とスズ酸化物の混合物からなる透明導電膜（ＩＴＯ膜）１１ａが形成されている。また、ガラス基板７は可視光を透過する材料で形成されており、当該ガラス基板７の上面（表面）側が表示画面１０ａとして機能する。
【００２２】
一方、ガラエポ基板８の上面には、例えば、７つのセグメント１２ａ〜１２ｇにより数字を構成する表示パターン１２（図４参照）を形成するために各セグメント１２ａ〜１２ｇに対応させて電極１３が配置されている。また、各セグメント１２ａ〜１２ｇの周囲には、周囲電極１５が配置されている。
【００２３】
また、コモン電極１１、電極１３、及び周囲電極１５は、例えば、スイッチング回路２１を介して電源２２と電気的に接続されており、コモン電極１１、電極１３、及び周囲電極１５には、所定の電圧を印加可能になっている。
【００２４】
また、各球体粒子５は、各々が配置された位置で回転可能に保持されており、スイッチング回路２１を介してコモン電極１１、電極１３、及び周囲電極１５に所定の電圧が印加されることによって極性が切り替えられ、当該各球体粒子５が回転しその向きが切り替わるようになっている。これにより、例えば、図４に示すように、セグメント１２ａ〜１２ｇ毎に表示画面１０ａに表示される表示色が切り替えられて、所定の数字が表示されるようになっている。
【００２５】
具体的には、例えば、コモン電極１１に８０Ｖの電圧を印加し、電極１３に１６０Ｖの電圧を印加すると、ガラス基板７側から見てセグメントの表示色は黒色となる。一方、コモン電極１１にのみ８０Ｖの電圧を印加（周囲電極１５には電圧を印加しない）すると、ガラス基板７側から見てセグメントの表示色は白色となる（図３参照）。よって、例えば、コモン電極１１に８０Ｖの電圧を印加し、セグメント１２ａ、１２ｂ、１２ｇ、１２ｅ、及び１２ｄ（電極１３）に１６０Ｖの電圧を印加し、周囲電極１５に電圧を印加しないと、セグメント１２ａ、１２ｂ、１２ｇ、１２ｅ、及び１２ｄの表示色のみ黒色となり、表示画面１０ａには、数字の「２」が表示される（図４参照）。
【００２６】
なお、セグメントを更に複数備えて、球体粒子５の向きを制御することによって文字などを表示することが可能となるとともに、所定の領域に複数の球体粒子５を配置し、各球体粒子５の向きを制御することによって、絵柄などを表示することも可能となる。
【００２７】
受電・通信ユニット３は、図２に示すように、受電コア１６ａを含む受電コイル１６と、通信回路及び受電回路を含む受電・通信部１７と、情報の受信を行う通信端子１８と、を備えている。当該受電・通信部１７は、受電コイル１６によって受電した電力を、表示制御部４に供給し、且つ、通信端子１８によって受信した情報を、表示制御部４に送信するようになっている。
【００２８】
表示制御部４は、受電・通信部１７から受電した電力を表示部２に供給するとともに、受信した情報を表示部２に送信するようになっている。
【００２９】
ここで、図５に示す回路図を用いて表示装置の動作について説明する。
【００３０】
表示装置１０は、図５に示すように、情報書換え装置３０から給電された電力を受電コイル１６ａによって非接触で受電し、高電圧安定化回路２４及び電圧分岐回路２５、又は低電圧安定化回路２６を介して表示制御回路２７に送るとともに、情報書換え装置３０から送信される情報を通信端子１８によって非接触で受信し、情報受信回路２８を介して、表示制御回路２７に送るようになっている。表示制御回路２７は、ＰＩＣ２７ａと、フォトモスリレー２７ｂを含んで構成され、表示パターン１２を構成する各セグメント１２ａ〜１２ｇに対応して配置される電極１３、周辺電極１５、及びコモン電極１１と電気的に接続されている。
【００３１】
そして、表示装置１０は、表示制御回路２７によって、情報書換え装置３０から送信される情報に従って、コモン電極１１、電極１３、及び周辺電極１５に所定の電圧を印加し、各セグメント１２ａ〜１２ｇの表示色を切り替えて所定の情報（例えば、数字）を表示するようになっている。
【００３２】
また、表示装置１０を情報書換え装置３０から取り外すことによって電力が遮断される。その際、表示装置１０では、受電した電力が放電し続けて動作電圧が低くなり、球状粒子５が適正な向きで保持されず、表示画面１０ａに表示される表示パターン１２が崩れるため、本実施形態の表示装置１０は、各電極１３及び周囲電極１５と表示制御回路２７との接続を遮断する遮断回路２９を備えている。
【００３３】
また、遮断回路２９は、フォトモスリレー２９ａを含んで構成されている。遮断回路２９に一般に使用されているリレー素子を用いると、その反応速度が遅いため、遮断時間の遅延を招き、電極１３に接続される表示制御回路２７へ電流が漏洩して表示パターン１２が崩れるため、本実施形態の遮断回路２９には、リーク電流が非常に少なく、反応速度が早いフォトモスリレー２９ａを用いることとしている。
【００３４】
また、表示装置１０において、任意の情報を表示画面１０ａに表示する際には、表示制御回路２７によって、コモン電極１１、電極１３、及び周辺電極１５に所定の電圧を、球状粒子５の向きを適性な位置に配置させ任意の情報を表示画面１０ａに適性に表示させるために必要な時間（以下、「適正時間」と称する。）だけ印加するようになっているが、本実施形態の遮断回路２９は、当該適正時間の終了直前に各電極１３と表示制御回路２７との接続を遮断するようになっている。
【００３５】
このようにすれば、任意の情報が表示画面１０ａに適正に表示されるように電極１３に対して電圧が適正に印加された状態で、電極１３と表示制御回路２９との接続が遮断されるので、その後に表示装置１０が情報書換え装置３０から取り外されて電力が遮断されても、動作電圧が低下することによる表示パターン１２の崩れを防止できる。また、通常のリレーの代わりにフォトモスリレーを適用することによって、遮断時間の遅延により、表示制御回路２７へ電流が漏洩して表示パターン１２が崩れることを防止できる。よって、表示画面１０ａに表示された情報は明確に表示された状態を保持し続けることが可能となる。
【００３６】
また、本実施形態の表示装置１０において受電される電圧は、１次側コイル（給電コイル４１）と２次側コイル（受電コイル１６）の巻き線比に基づいて昇圧されるようになっており、受電側では、必要電圧の２倍の電圧を発生させるようになっている。当該電圧は、抵抗（電圧分岐回路２５）により分割され、１/２の電圧（ここでは、８０Ｖ）をコモン電極１１に供給し、電極１３に供給する電圧を１６０Ｖ又は０Ｖのいずれかをスイッチング回路２１によって切り替えるようになっている。
【００３７】
一方、情報書換え装置３０は、所定の電源２１と電気的に接続される電源部３２と、利用者が操作を行う操作部３３と、非接触で電力を供給するとともに所定の情報を送信する給電・通信ユニット３４と、各部を統括的に制御する制御部３５と、を含んで構成されている。
【００３８】
操作部３３は、例えば、１〜１０の数字を選択可能なダイヤルスイッチ３６、任意の情報に書き換える書換えスイッチ３７、表示画面１０ａを白又は黒にしてリフレッシュするリフレッシュスイッチ３８、を含んで構成されている。
【００３９】
当該ダイヤルスイッチ３６は、ダイヤルを回転させることによって、利用者が表示画面１０ａ上に表示すべき数字を選択可能になっている。また、当該利用者によって選択された数字情報は、制御部３５に送信される。
【００４０】
また、書換えスイッチ３７は、利用者が情報の書換えを行うタイミングを選択するスイッチであり、当該書換えスイッチ３７の押下により、表示画面１０ａに表示されている数字がダイヤルスイッチ３６によって選択された数字に書き換えられる。また、書換えスイッチ３７が押下されると、その旨の情報が制御部３５に送信される。
【００４１】
また、リフレッシュスイッチ３８は、一端、黒又は白に表示画面１０ａを書き換えるためのスイッチである。このリフレッシュスイッチ３８を押下すると、各電極１３、１５に印加される電圧が制御されて、表示画面１０ａの全体に表示される表示色が黒色又は白色に書き換えられる（以下、「リフレッシュ動作」と称する。）。これにより、球状粒子５の動きが滑らかになり、その後の書換え動作がスムースになる。なお、好ましくは、リフレッシュ動作は、表示画面１０ａの全体に表示される表示色が黒色と白色に交互に複数回書き換えられるように各電極に印加される電圧が制御されるとよい。また、リフレッシュスイッチ３８が押下されると、その旨の情報が制御部３５に送信され、制御部３５の指示により表示制御部４において各電極１３、１５に印加される電圧が制御される。
【００４２】
給電・通信ユニット３４は、給電コア４１ａを含む給電コイル４１と、通信回路及び給電回路を含む給電・通信部４２と、情報の送信を行う通信端子４３と、を備えている。当該給電・通信部４２は、電源部３２から送信される電源信号Ｓａ及び制御部３５から送信される電力制御信号Ｓｂに基づいて給電コイル４１に給電信号Ｓｃを送信し、且つ、制御部３５から送信される情報を受信し通信端子４３に送信するようになっている。
【００４３】
制御部３５は、主として演算機能を有するＣＰＵ（Central Processing Unit）、作業用ＲＡＭ、及び各種データやプログラムを記憶するＲＯＭを備えて構成されている。当該ＣＰＵが、例えばＲＯＭに記憶された各種プログラムを実行することにより、各部を制御するとともに情報表示装置Ｓの全体を統括制御する。
【００４４】
具体的には、制御部３５は、利用者によって操作された書換えスイッチ３７の押下により書換え信号を生成する。また、リフレッシュスイッチ３８の押下によりリフレッシュ信号を生成する。リフレッシュ信号とは、表示画面１０ａの表示を白、又は黒に統一して表示するための信号である。また、制御部３５は、書換えスイッチ３７の押下により、利用者がダイヤルスイッチ３６によって選択した数字情報を表示画面１０ａに表示すべき情報として表示情報信号を生成する。なお、これら制御部３５によって生成された各情報は、通信端子４３を介して表示装置１０に送信される。
【００４５】
また、制御部３５は、表示装置１０への供給電力を制御する電力制御信号を給電・通信部４２に送信するようになっている。当該電力制御信号は、予め規定された値を例えば、メモリ（図示なし）に記憶しておき、その値を読み出すことによって行われる。
【００４６】
次に給電・通信ユニット及び受電・通信ユニットの構造について説明する。
【００４７】
図６に示すように、給電コア４１ａ及び受電コア１６ａには、それぞれ環状の溝４１ｂ、１６ｂが形成されており、当該それぞれの溝４１ｂ、１６ｂには、環状に形成された給電コイル４１、受電コイル１６が載置されて取り付けられている。
【００４８】
この構成において、給電時には、図７に示すように、給電コイル４１上に受電コイル１６が重ね合わされ、当該受電コイル１６と給電コイル４１とが近接、且つ平行に対向する位置に配置され、これにより給電コイル４１と受電コイル１６との間に電磁誘導回路が構成される。そして、この状態で給電コイル４１に対して給電信号が供給されると、その大きさに対応した誘導起電力が受電コイル１６に発生することで当該受電コイル１６から受電・通信部１７に対して受電信号が出力されるようになっている。
【００４９】
一方、給電コイル４１と受電コイル１６とが、近接し、且つ平行に対向した状態において、双方の通信端子４３、１８も、近接し、且つ平行に対向するようになっている。また、通信端子４３、１８は、例えば、ＩＲ−フォトトランジスタやＩＲ−ＬＥＤを用いて構成されており、相互にデータを送受信可能になっている。また、本実施形態では通信方式として赤外線を用いているが、無線であっても構わない。
【００５０】
なお、情報表示装置Ｓの使用時においては、給電コイル４１と受電コイル１６、並びに通信端子同士４３、１８が、夫々平行に対向し且つ例えば２ミリメートル程度の距離に近接するように配置されることが好ましい。
【００５１】
また、図７に示すように、給電コイル４１及び通信端子４３は、例えば、給電・通信部３４として機能する給電回路及び通信回路と一緒にガラエポ基板４６上にそれぞれ樹脂等でモールドされ、上部にカバーシート４７を配して一体化され板状に形成し、接点などが露出しないようになっている。なお、受電コイル１６及び通信端子１８も、給電コイル４１及び通信端子４３と同様に、例えば、受電・通信部１７として機能する受電回路及び通信回路と一緒にガラエポ基板４６上にそれぞれ樹脂等でモールドされ、上部にカバーシート４７を配して一体化され板状に形成し、接点などが露出しないようになっている。
【００５２】
次に、情報表示装置の動作例について、図１乃至図５を用いて説明する。なお、以下に説明する情報表示装置Ｓは、書換えスイッチ３７の押下により駆動し、表示装置１０が情報書換え装置３０から取り外された際に停止するものとする。
【００５３】
まず、利用者がダイヤルスイッチ３６を用いて表示装置１０の表示画面１０ａに表示すべき数字を選択する。これにより、情報書換え装置３０が駆動した際に、制御部３５は、利用者によって選択された数字を表示すべき表示制御信号を生成する。
【００５４】
次いで、利用者によって書換えスイッチ３７が押下されると、電源３１から供給される電力によって情報書換え装置３０が駆動する。
【００５５】
次いで、制御部３５は、給電・通信部３４に予め規定された電力制御信号及び利用者によって選択された数字に基づいて生成された表示制御信号を送信する。
【００５６】
次いで、給電・通信部３４は、制御部３５からの電力制御信号に基づき、電源部３２から送信される電源信号を予め設定された周波数を有するパルス状の給電信号に変換し、当該給電信号を給電コイル４１に供給する。なお、当該予め設定された周波数は、給電コイル４１及び受電コイル１６の使用などにより変更され得るものである。
【００５７】
給電コイル４１に給電信号が供給されると、当該給電コイル４１と受電コイル１６との間に電磁誘導回路が構成され、その大きさに対応した誘導起電力が受電コイル１６に発生することで受電コイル１６から受電・通信部１７に対して受電信号が出力される。受電信号は、受電・通信部１７から表示制御部４を介して表示部２に出力される。
【００５８】
一方、給電・通信ユニット３４側の通信端子４３には、制御部３５によって生成された表示制御信号が入力され、例えば、赤外線を介して受電・通信ユニット３側の通信端子１８に送信される。受電・通信ユニット３側の通信端子１８は、給電・通信ユニット３４側の通信端子４３から赤外線を介して送信される表示制御信号を受信し、受電・通信部１７を介して表示制御部４に送信する。
【００５９】
また、当該表示制御信号は、通信端子１８、４３間で複数回送受信されて、表示制御部４に送信される。表示制御部４では、１回分毎の表示制御信号にかかるデータ量と、複数回分の表示制御信号にかかるデータ量をその回数で除算したデータ量と、を比較し、１回分の表示制御信号にかかるデータ量が同じであるか否かを判断する。このデータ量が異なる場合には、再度、表示制御信号が通信端子１８、４３間で複数回送受信されて、データ量が比較される。このようにすれば非接触によるデータ送信において、データの欠落を防ぐことが可能となる。
【００６０】
一方、データ量が同一であれば、表示制御部４は、１回分の表示制御信号に基づいて各セグメント１２ａ〜１２ｇに対応して配置される各電極１３、周囲電極１５、及びコモン電極１１に所定の電圧を印加する。表示制御部４は、この動作に基づいて球状粒子５を回転させることで、その向きを切り替えてセグメント１２ａ〜１２ｇ毎に表示色を変化させ、利用者が選択した数字を表示画面１０ａに表示させる。
【００６１】
この時、電極１３には、予め定められた適正時間、電力が印加されるが、その適正時間が終了する直前に図５に示す遮断回路２９によって、電極１３と、その電極１３と接続される表示制御回路２７と、の接続が遮断される。
【００６２】
これにより、電極１３から表示制御回路２７への電流の漏洩を防ぎ、電流が電極１３から表示制御回路２７へ漏洩することにより球状粒子５が適正位置に保持されずに表示パターン１２が崩れるのを防止している。
【００６３】
よって、その後、表示装置１０を情報書換え装置３０から取り外しても、表示パターン１２は影響を受けることなく、明確に任意の情報が表示された状態を保持することが可能となる。
【００６４】
なお、表示装置１０を情報書換え装置３０に載置して、利用者が再度、ダイヤルスイッチ３６を操作して所望の数字を選択し、書換えスイッチ３７を押下することにより、表示画面１０ａに表示されている数字を、利用者によって選択された数字に書き換えることが可能である。
【００６５】
このような場合において、本実施形態では、利用者の判断によってリフレッシュ動作は手動（リフレッシュスイッチ３８を押下すること）で行うようになっているが、例えば、始めに表示画面１０ａ上に数字を表示した後から所定の時間が経過している場合や、動作環境の温度が低い場合には、一時的にリフレッシュ動作を行った後、書換え動作を行うように制御するようにしてもよい。これにより球状粒子５の動きが滑らかになり、書換え後の数字がより鮮明に表示されるようになる。
【００６６】
なお、本実施形態は一形態であって、この形態に限定されるものではない。例えば、遮断回路が作動した際に、その後、自動的に電力の供給を遮断するようにしても構わない。
【図面の簡単な説明】
【００６７】
【図１】本発明に係る情報表示装置の外観図である。
【図２】本発明に係る情報表示装置の全体構造図である。
【図３】表示装置の概念図である。
【図４】表示装置の外観図である。
【図５】表示装置の回路図である。
【図６】給電・通信ユニット及び受電・通信ユニットの構造図である。
【図７】表示装置が情報書換え装置に装着された際の給電・通信ユニット及び受電・通信ユニットの配置状態を示す断面図である。
【符号の説明】
【００６８】
Ｓ  情報表示装置
５  球状粒子
１０  表示装置
１１  コモン電極
１３  電極
１５  周辺電極
１６  受電コイル
１６ａ  受電コア
１８、４３  通信端子
２７  表示制御回路
２９  遮断回路
２９ａ  フォトモスリレー
３０  情報書換え装置
３４  給電・通信ユニット
４１  給電コイル
４１ａ  給電コア
【図１】
2008052217.tif 000003
【図２】
2008052217.tif 000004
【図３】
2008052217.tif 000005
【図４】
2008052217.tif 000006
【図５】
2008052217.tif 000007
【図６】
2008052217.tif 000008
【図７】
2008052217.tif 000009